(57)【要約】【課題】潜像担持体に対する光書込ヘッドの位置精度の低下を抑制しつつ、プロセスカートリッジや画像形成装置の小型化が可能な光書込ヘッド位置決め機構を提供する。【解決手段】光書込ヘッド位置決め機構２０に設けた２つのスペーサ部材２１（ａ，ｂ）に、それぞれ感光体３上のクリーニング領域幅：Ｌ３の端部を避けた第１感光体接触面２１２ａと第２感光体接触面２１３ａの２つの感光体接触面を有するように構成した。そして、スペーサ部材２１（ａ，ｂ）を、それぞれ、第１感光体接触面２１２ａと第２感光体接触面２１３ａとの間に感光体３上のクリーニング領域幅：Ｌ３の端部が位置するように配置した。【選択図】図５
2015044398.tif 000002
【特許請求の範囲】
【請求項１】
静電潜像を担持する潜像担持体と、該潜像担持体を露光するための光書込ヘッドとの間に設けられ、前記潜像担持体と接触する担持体接触面と、前記光書込ヘッドと接触するヘッド接触面とを有し、前記潜像担持体と前記光書込ヘッドとの間隔を決めるスペーサ部材を設けた光書込ヘッド位置決め機構において、
前記潜像担持体には、その表面を清掃するクリーニング部材が接触しており、
少なくとも１つのスペーサ部材は、前記潜像担持体上の前記クリーニング部材によるクリーニング領域の境界を避けた複数の担持体接触面を有し、少なくとも２つの隣り合う担持体接触面の間に前記クリーニング領域の境界が位置するように配置されることを特徴とする光書込ヘッド位置決め機構。
【請求項２】
請求項１に記載の光書込ヘッド位置決め機構において、
前記複数の担持体接触面を有したスペーサ部材は、２つの担持体接触面を有していることを特徴とする光書込ヘッド位置決め機構。
【請求項３】
請求項１又は２に記載の光書込ヘッド位置決め機構において、
前記複数の担持体接触面を有したスペーサ部材は、前記クリーニング領域の両側の境界を跨ぐように２つ設けられていることを特徴とする光書込ヘッド位置決め機構。
【請求項４】
請求項１乃至３のいずれか一に記載の光書込ヘッド位置決め機構において、
前記複数の担持体接触面は、それぞれ形状が異なっていることを特徴とする光書込ヘッド位置決め機構。
【請求項５】
請求項４に記載の光書込ヘッド位置決め機構において、
前記複数の担持体接触面の内、前記潜像担持体の移動方向に垂直な方向における該潜像担持体の中央側の担持体接触面は、前記潜像担持体の移動方向に対して傾斜を有していることを特徴とする光書込ヘッド位置決め機構。
【請求項６】
請求項５に記載の光書込ヘッド位置決め機構において、
前記中央側の担持体接触面は、前記潜像担持体の移動方向上流から下流に向かって、前記潜像担持体における最大画像領域の内側から外側にわたって接触するような傾斜を有していることを特徴とする光書込ヘッド位置決め機構。
【請求項７】
請求項５又は６に記載の光書込ヘッド位置決め機構において、
前記中央側の担持体接触面は、該担持体接触面を有するスペーサ部材に形成されたリブ形状部の先端の面であることを特徴とする光書込ヘッド位置決め機構。
【請求項８】
請求項１乃至７のいずれか一に記載の光書込ヘッド位置決め機構において、
前記複数の担持体接触面を有したスペーサ部材を潜像担持体側へ向って付勢する付勢手段を備え、
前記複数の担持体接触面は、前記クリーニング領域の境界を跨ぐように２つ設けられ、
前記２つの担持体接触面の内、前記潜像担持体の移動方向に垂直な方向における該潜像担持体の中央側の担持体接触面は、曲率半径が前記潜像担持体の曲率半径よりも小さく、
他方の担持体接触面の曲率半径が前記潜像担持体の曲率半径よりも大きいことを特徴とする光書込ヘッド位置決め機構。
【請求項９】
請求項８に記載の光書込ヘッド位置決め機構において、
前記他方の担持体接触面が平面であることを特徴とする光書込ヘッド位置決め機構。
【請求項１０】
請求項８、又は９に記載の光書込ヘッド位置決め機構において、
前記他方の担持体接触面に凸部が設けられ、前記他方の担持体接触面と前記潜像担持体は前記凸部のみで接触していることを特徴とする光書込ヘッド位置決め機構。
【請求項１１】
光書込ヘッドの露光により静電潜像が形成される潜像担持体と、該潜像担持体に対する前記光書込ヘッドの位置を決める光書込ヘッド位置決め機構とを有したプロセスカートリッジにおいて、
前記光書込ヘッド位置決め機構として、請求項１乃至１０のいずれか一に記載の光書込ヘッド位置決め機構を備えたことを特徴とするプロセスカートリッジ。
【請求項１２】
光書込ヘッドと、該光書込ヘッドの露光により静電潜像が形成される潜像担持体と、該潜像担持体に対する前記光書込ヘッドの位置を決める光書込ヘッド位置決め機構とを備えた画像形成装置において、
前記光書込ヘッド位置決め機構として、請求項１乃至１０のいずれか一に記載の光書込ヘッド位置決め機構、又は請求項１１に記載のプロセスカートリッジに有した光書込ヘッド位置決め機構を備えたことを特徴とする画像形成装置。
【請求項１３】
請求項１２に記載の画像形成装置において、
前記光書込ヘッドの発光素子がＬＥＤもしくは有機ＥＬ素子であることを特徴とする画像形成装置。
【発明の詳細な説明】
【技術分野】
【０００１】
本発明は、感光体等の潜像担持体に静電潜像を書き込む光書込ヘッドの位置を決める光書込ヘッド位置決め機構、光書込ヘッド位置決め機構を設けたプロセスカートリッジ、及びこれらのいずれかを備えた画像形成装置に関するものである。
【背景技術】
【０００２】
一様に帯電された潜像担持体上に形成する画像の光を照射（露光）して静電潜像を形成する露光装置として光書込ヘッドを用いる画像形成装置が従来から知られている。
また、潜像担持体と、光書込ヘッドとの間に設けられ、潜像担持体と光書込ヘッドとの間隔を決める複数のスペーサ部材を備えた光書込ヘッド位置決め機構を備えた画像形成装置も知られている。
例えば、特許文献１には、画像形成を行う記録媒体の潜像担持体移動方向（以下、移動方向という）に垂直な方向（以下、幅方向という）の外側であって、潜像担持体の端部近傍に接触するようにスペーサ部材を２箇所設けた画像形成装置が記載されている。
【発明の概要】
【発明が解決しようとする課題】
【０００３】
しかし、上記のような画像形成装置では、潜像担持体に対する光書込ヘッドの位置決め精度（以下、位置精度という）が、経年的に低下するおそれがある。
また、潜像担持体に対する光書込ヘッドの位置精度の低下を抑制するために、プロセスカートリッジや画像形成装置の小型化が困難になるおそれがある。
【０００４】
本発明は以上の問題点に鑑みなされたものであり、その目的は、潜像担持体に対する光書込ヘッドの位置精度の低下を抑制しつつ、プロセスカートリッジや画像形成装置の小型化が可能な光書込ヘッド位置決め機構を提供することである。
【課題を解決するための手段】
【０００５】
上記目的を達成するために、請求項１に記載の発明は、静電潜像を担持する潜像担持体と、該潜像担持体を露光するための光書込ヘッドとの間に設けられ、前記潜像担持体と接触する担持体接触面と、前記光書込ヘッドと接触するヘッド接触面とを有し、前記潜像担持体と前記光書込ヘッドとの間隔を決めるスペーサ部材を設けた光書込ヘッド位置決め機構において、前記潜像担持体には、その表面を清掃するクリーニング部材が接触しており、少なくとも１つのスペーサ部材は、前記潜像担持体上の前記クリーニング部材によるクリーニング領域の境界を避けた複数の担持体接触面を有し、少なくとも２つの隣り合う担持体接触面の間に前記クリーニング領域の境界が位置するように配置されることを特徴とするものである。
【発明の効果】
【０００６】
本発明は、潜像担持体に対する光書込ヘッドの位置精度の低下を抑制しつつ、プロセスカートリッジや画像形成装置の小型化が可能な光書込ヘッド位置決め機構を提供できる。
【図面の簡単な説明】
【０００７】
【図１】一実施形態に係るプリンタの構成を示す概略構成図。
【図２】一実施形態に係るプロセスカートリッジの主要な構成を説明する断面説明図。
【図３】従来例に係るスペーサ部材の感光体軸方向の配置、及び寸法関係の説明図。
【図４】従来例に係るスペーサ部材の問題点の説明図。
【図５】実施例１に係るスペーサ部材の感光体軸方向の配置、及び寸法関係の説明図。
【図６】実施例１に係るスペーサ部材の第１感光体接触面及び第２感光体接触面とクリニングブレードのクリーニング領域幅の端部との関係の説明図。
【図７】実施例２に係るスペーサ部材の第１感光体接触面及び第２感光体接触面とクリニングブレードのクリーニング領域幅の端部との関係の説明図。
【図８】実施例２に係るスペーサ部材の説明図。
【図９】実施例２に係るスペーサ部材の第１感光体接触面の幅である先端幅と荷重との関係を説明するグラフ。
【図１０】実施例３に係るスペーサ部材の第１感光体接触面及び第２感光体接触面とクリニングブレードのクリーニング領域幅の端部との関係の説明図。
【図１１】実施例４に係るスペーサ部材の第１感光体接触面及び第２感光体接触面と、感光体表面との接触状態の説明図。
【図１２】実施例５に係るスペーサ部材の第１感光体接触面及び第２感光体接触面と、感光体表面との接触状態の説明図。
【図１３】実施例６に係るスペーサ部材の第１感光体接触面及び第２感光体接触面と、感光体表面との接触状態の説明図。
【発明を実施するための形態】
【０００８】
以下、本発明を電子写真方式のモノクロ画像形成装置であるプリンタ（以下、プリンタ１００という）に適用した一実施形態について、複数の実施例を挙げて説明する。
本実施形態のプリンタ１００は、次の構成に係る点が最大の特徴となっている。
静電潜像を担持する潜像担持体であるドラム状の感光体に対する露光装置として用いる光書込ヘッドの位置決めを行う光書込ヘッド位置決め機構に設ける、感光体と光書込ヘッドとの間隔を決めるスペーサ部材を２つ（複数）設けている。これらのスペーサ部材の内、少なくとも１つは、クリーニング部材によるクリーニング領域の境界を避けた担持体接触面である感光体接触面を複数有している。そして、いずれか２つの隣り合う感光体接触面の間にクリーニング領域の境界が位置するように配置されている点である。
【０００９】
まず、プリンタ１００の基本的な全体構成及び動作について、図を用いて説明する。
図１は、本実施形態に係るプリンタ１００の構成を示す概略構成図、図２は、プロセスカートリッジ２の主要な構成を説明する断面説明図である。
【００１０】
図１に示すように、このプリンタ１００は、装置本体１１０のほぼ中央部に潜像担持体であるドラム状の感光体３を備えたプロセスカートリッジ２を備えている。プロセスカートリッジ２内部の感光体３の上に配置された感光体３に潜像を形成するための露光装置６０を配置している。このプロセスカートリッジ２の下方には、プロセスカートリッジ２で形成されたドラム状の感光体３上のトナー像を記録媒体である用紙Ｐに転写する転写ローラ７０を備えている。
装置本体１１０の下部には、感光体３上のトナー像を転写するための用紙Ｐを積載して収容する給紙カセット１１、給紙カセット１１から用紙Ｐを順次、感光体３と転写ローラ７０との間の転写部に送り出す給紙ローラ１２を備えている。
また、プロセスカートリッジ２の図中左方には、用紙Ｐ上のトナー像を熱定着する定着装置８０を備えており、定着装置８０の上方には、プリンタ１００の上面に設けられた排紙トレーに、熱定着された用紙Ｐを排紙する排紙ローラ対１５が設けられている。
【００１１】
また、図２に示すように、プロセスカートリッジ２は、感光体３の回転方向に対し順に、帯電ローラ６、露光装置６０、現像装置の現像ローラ４、感光体クリーニング装置のクリーニングブレード５などが配置され、作像部を構成している。このプロセスカートリッジ２においては、感光体３と感光体３の周囲に配設される帯電ローラ６、露光装置６０、現像ローラ４、クリーニングブレード５が１つのユニットとして共通の支持体に支持され、プリンタ本体に対して一体に着脱可能になっている。
ここで、露光装置６０には、光書込ヘッド６１が用いられており、プロセスカートリッジ２には、感光体３に対する光書込ヘッド６１の位置を決める光書込ヘッド位置決め機構である光書込ヘッド位置決め機構２０を備えている。
光書込ヘッド位置決め機構２０には、詳しくは後述するが、感光体３と光書込ヘッド６１とに接触し、感光体３と光書込ヘッド６１との間隔を決めるスペーサ部材２１（ａ，ｂ）が配置されている。つまり、光書込ヘッド位置決め機構２０に設けられたスペーサ部材２１（ａ，ｂ）は、感光体３と光書込ヘッド６１との間に設けられ、両者の距離を規制する規制部材として機能し、感光体３と光書込ヘッド６１の間隔を決める役目を果たしている。
【００１２】
なお、本実施形態の光書込ヘッド６１の発光素子としては、ＬＥＤもしくは有機ＥＬ素子を好適に用いることができる。これらの発光素子を用いることで、露光装置６０をコンパクトに構成してプリンタ１００の小型化に貢献できるとともに、感光体３上に良好な静電潜像を形成することができる。
【００１３】
本実施形態のプロセスカートリッジ２では、感光体３の回転とともに、まず帯電ローラ６で感光体３表面を一様に帯電する。次いで、画像データに基づき露光装置６０から射出された光束を照射して感光体３上に静電潜像を形成する。その後、現像ローラ４によりトナーを付着させ静電潜像を可視像化することで感光体３上にトナー画像を形成する。一方、給紙ローラ１２は、給紙カセット１１から記録媒体である用紙Ｐ（不図示）を１枚ずつ分離して搬送してレジストローラ１４に突き当てて止める。
【００１４】
そして、プロセスカートリッジ２のトナー画像形成のタイミングに合わせて、レジストローラ１４に突き当てて止めた用紙Ｐを感光体３と転写ローラ７０とが対向する転写部に送り出す。転写部では、転写ローラ７０に高電位を印加することによって感光体３と転写ローラ７０に電位差を設けて感光体３上に形成されたトナー像を用紙Ｐ上に転写する。トナー画像が転写された用紙Ｐは、定着装置８０によりトナー画像を熱定着後、排紙ローラ対１５によりプリンタ１００の上面の排紙トレーに排紙される。一方、トナー画像転写後の感光体３の表面は、クリーニングブレード５により残留トナーが除去清掃され、次の画像形成に備える。
【００１５】
次に、本実施形態のプリンタ１００のプロセスカートリッジ２に備えた、光書込ヘッド位置決め機構２０について、複数の実施例を挙げて詳しく説明する前に、本発明の課題を明確にするため、従来の光書込ヘッド位置決め機構の構成について説明する。また、各実施例の光書込ヘッド位置決め機構２０、及び従来の光書込ヘッド位置決め機構の構成については、特に区別する必要がない限り、同一の構成部材や同様な機能を有した構成部材については、同一の符号を付して説明する。
【００１６】
（従来例）
従来のプロセスカートリッジ２に備えた光書込ヘッド位置決め機構２０の構成の一例である従来例について、図を用いて説明する。
図３は、本従来例に係るスペーサ部材２１（ａ，ｂ）の感光体軸方向の配置、及び寸法関係の説明図である。なお、図３においては、スペーサ部材２１（ａ，ｂ）については、形状が分かり易いように感光体３の感光体軸を通る平面で切った断面を示し、感光体３やスペーサ部材２１（ａ，ｂ）の各領域幅、及び光書込ヘッド６１については側面を示している。
【００１７】
図４は、本従来例に係るスペーサ部材２１（ａ，ｂ）の問題点の説明図である。そして、図４（ａ）がクリーニングブレード５をすり抜けたクリーニング残留物がスペーサ部材２１（ａ，ｂ）に堆積する前の説明図、図４（ｂ）がクリーニングブレード５をすり抜けたクリーニング残留物のスペーサ部材２１（ａ，ｂ）への堆積時の説明図である。図４（ｃ）が堆積したクリーニング残留物のスペーサ部材２１（ａ，ｂ）から最大画像領域側へこぼれ落ちる時の説明図、図４（ｄ）がこぼれ落ちたクリーニング残留物の感光体３上への固着の説明図である。図４（ｅ）がこぼれ落ちて感光体３上へ固着したクリーニング残留物を起点として固着物が大きくなる時の説明図である。
【００１８】
図３に示すように、露光装置６０に用いる光書込ヘッド６１は、図示しない発光基板、及びレンズアレイ６２を保持するヘッドフレーム６３で構成されている。また、光書込ヘッド６１の位置決めを行う光書込ヘッド位置決め機構２０に備えるスペーサ部材２１（ａ，ｂ）を、感光体３と光書込ヘッド６１との間に感光体３の感光体軸方向に２ヶ所設けている。
また、例えば図４（ａ）に示すように、スペーサ部材２１ａには、光書込ヘッド６１に接触するヘッド接触面２１１ａを２箇所、スペーサ部材２１ｂには、光書込ヘッド６１に接触するヘッド接触面２１１ｂを１箇所設けている。また、スペーサ部材２１（ａ，ｂ）には、感光体３に接触する担持体接触面である第１感光体接触面２１２（ａ，ｂ）を有している。
そして、スペーサ部材２１（ａ，ｂ）のヘッド接触面２１１（ａ，ｂ）はレンズアレイ６２の感光体軸方向外側のヘッドフレーム６３に接触するよう配置されている。
【００１９】
このような光書込ヘッド位置決め機構２０を備えたプロセスカートリッジ２やプリンタ１００は、感光体３に対する光書込ヘッド６１の位置精度が、経年的に低下するおそれがある。また、感光体３に対する光書込ヘッド６１の位置精度の低下を抑制するために、プロセスカートリッジ２やプリンタ１００の小型化が困難になるおそれがある。
これらの不具合は、いずれも感光体３とスペーサ部材２１（ａ，ｂ）の第１感光体接触面２１２（ａ，ｂ）との間に転写残トナー等の残留トナーが入り込むことで、感光体３に対するスペーサ部材２１（ａ，ｂ）の位置精度が低下することが原因で生じてしまう。
以下、上記不具合が発生する理由を詳細に説明する。
【００２０】
この従来例でも、図２を用いて説明した本実施形態のプロセスカートリッジ２と同様に、転写後に感光体３上に残った転写残トナー等をかき取って除去するクリーニング部材であるクリーニングブレード５を有している。このように除去する構成では、クリーニングブレード５の感光体軸方向両端にはクリーニング装置等のケースとの隙間を埋めるためのシール部材があるが、その隙間から除去できなかった転写残トナー等が残留トナーとして感光体３上にスジ状に残る場合がある。すなわち、感光体３上のクリーニングブレード５によるクリーニング領域の境界（クリーニング領域幅：Ｌ３の端部。以下、適宜、クリーニング領域端という）近傍に、スジ状の残留トナーが残る場合がある。
【００２１】
このスジ状の残留トナーの単位幅当たりの量は、他の部分で生じるクリーニングブレード５をすり抜けた残留トナー、つまりクリーニング残留物の単位幅当たりの量よりも多い。このため、スペーサ部材（ａ，ｂ）、現像ローラ４、帯電ローラ６、又は再度、クリーニングブレード５に到達した際に、他の部分に比べで感光体３上に固着し易くなる。
このように、感光体３上に残留トナーの固着が発生すると、感光体３に対する光書込ヘッド位置決め機構２０に設けたスペーサ部材２１（ａ，ｂ）の位置精度が低下し、感光体３に対する光書込ヘッド６１の位置精度も低下する。すなわち、感光体３に対する光書込ヘッド６１の位置精度が、経年的に低下するおそれがある。
【００２２】
一方、光書込ヘッド６１の焦点深度は浅い（１００μｍ程度）ため、高精度に感光体３との距離を決める必要がある。そして、スペーサ部材（ａ，ｂ）は感光体３と接触しているため、スペーサ部材（ａ，ｂ）の第１感光体接触面２１２（ａ，ｂ）と感光体３の間に、残留トナー等の異物が侵入しないように配置する必要がある。
そこで、本従来例のスペーサ部材２１（ａ，ｂ）では、感光体３との間に残留トナー等の異物の侵入を避けるため、クリーニングブレード５によるクリーニング領域端近傍に発生する残留トナーのスジを避ける必要がある。このため、スペーサ部材２１（ａ，ｂ）は、クリーニング領域の内側、又は外側、且つ、感光体３上にトナーが付着しない領域に配置することが望ましい。
【００２３】
図３はクリーニング領域内にスペーサ部材２１（ａ，ｂ）を配置した場合を示している。
ここで、クリーニング領域幅の長さをＬ３、画像形成領域の長さをＬ１とスペーサ部材２１（ａ，ｂ）の第１感光体接触面２１２（ａ，ｂ）の長さをＬ２ａ、Ｌ２ｂとする。すると、クリーニング領域幅：Ｌ３は、少なくともＬ３＞Ｌ１＋Ｌ２ａ＋Ｌ２ｂの長さが必要となり、クリーニング部材であるクリーニングブレード５の感光体軸方向の長さが長くなってしまう。また、スペーサ部材２１（ａ，ｂ）を、クリーニング領域の外側に配置した場合は、クリーニング領域外の感光体３の長さＬ４ａ、Ｌ４ｂを、Ｌ２ａ、Ｌ２ｂよりも長くする必要があるため、感光体３の感光体軸方向の全長が長くなってしまう。
【００２４】
本従来例では、スペーサ部材２１（ａ，ｂ）は、クリーニング領域端近傍に発生する残留トナーのスジを避けるようにクリーニング領域端の内側、又は外側に配置する必要があるため、必然的に感光体３やクリーニングブレード５の全長が長くなってしまう。
したがって、上記のように感光体３に対する光書込ヘッド６１の位置精度の低下を抑制するために、プロセスカートリッジ２やプリンタ１００の小型化が困難になるおそれがある。
【００２５】
ここで、感光体３やクリーニングブレード５の全長が長くなることを抑制するために、スペーサ部材２１（ａ，ｂ）の感光体軸方向の長さ（幅）を短くすることも考えられるが、次の理由により所定の長さが必要である。
感光体３と光書込ヘッド６１との間隔を決めるためには、所定の荷重（付勢力）を光書込ヘッド６１側から感光体へ加える必要がある。しかし、スペーサ部材２１（ａ，ｂ）の感光体軸方向の長さを短くしずぎると、感光体３とスペーサ部材２１（ａ，ｂ）の第１感光体接触面２１２（ａ，ｂ）との間に生じる圧力が高くなりすぎて、感光体３とスペーサ部材２１（ａ，ｂ）の磨耗が促進されてしまう。
また、各接触部分の構成によっても異なるが、スペーサ部材２１（ａ，ｂ）の感光体軸方向への転等防止のためにも、スペーサ部材２１（ａ，ｂ）の感光体軸方向の長さは所定長さ必要である。
【００２６】
なお、上記した特許文献１にも、潜像担持体（感光体ドラム）上に転写後に残った残留トナー等を清掃するクリーニング部材（クリーニングブラシ）が潜像担持体に接触するように設けられている。そして、スペーサ部材の潜像担持体に接触する接触面の潜像担持体移動方向の上流側に、潜像担持体移動方向に垂直な方向に対して傾斜した辺を形成する側面を設け、潜像担持体移動方向に垂直な方向に所定長さを有したスペーサ部材が記載されている。このようにスペーサ部材に潜像担持体移動方向に垂直な方向に対して傾斜した辺を形成する側面を設けることで、残留トナー等を上記傾斜に沿って移動させ、スペーサ部材の潜像担持体移動方向の上流側への残留トナー等の堆積を抑制できると記載されている。
しかし、特許文献１に記載のスペーサ部材は潜像担持体移動方向上流側端部に、傾斜した辺を形成するので、スペーサ部材の上流側では、潜像担持体移動方向に垂直な方向の長さ（幅）が上流側から下流側へ向う程広くなる。このため、経年的な潜像担持体及びスペーサ部材の磨耗や加工誤差により、スペーサ部材の上流側端部の辺を潜像担持体としての感光体ドラム等の曲率に対して隙間無く当接させることは困難であり、残留トナー等が潜像担持体とスペーサ部材との間に入り込み易い。
【００２７】
特に、上記スジ状の残留トナーが生じるクリーニング領域端では、他の部分で生じるクリーニング残留物の単位幅当たりの量よりも多いため、上記のような傾斜を設けていても、残留トナー等が潜像担持体とスペーサ部材との間に入り込み易くなる。このように残留トナー等が入り込むと、潜像担持体との摩擦熱と、スペーサ部材からの押圧力とにより入り込んだ残留トナー等が潜像担持体上に固着して、潜像担持体に対する光書込ヘッドの位置決め精度が低下して、画像不良を引き起こしてしまうおそれがある。
このような不具合の発生を抑制するためには、本従来例と同様にスジ状の残留トナーの潜像担持体上への固着の発生を抑制するため、上記クリーニング領域の境界の内側、又は外側にスペーサ部材を配置して、上記スジ状の残留トナーを避けざるを得ない。
したがって、スペーサ部材の潜像担持体移動方向上流側に傾斜した辺を形成する側面を設けた構成でも、本従来例と同様にプロセスカートリッジや画像形成装置の小型化が困難になるおそれがある。
【００２８】
また、特許文献２には、クリーニング部材を有するか否か不明なものの、潜像担持体に接触するスペーサ部材の接触面の、潜像担持体移動方向上流側から残留トナー等が、潜像担持体とスペーサ部材の接触面との間に入り込み難くする構成が記載されている。しかし、仮にクリーニング部材を設け、上記スジ状の残留トナーが生じるクリーニング領域端にスペーサ部材を配置してしまうと、残留トナー等が潜像担持体とスペーサ部材との間に入り込んでしまうおそれがある。
また、後述する本実施形態のスペーサ部材２１の一部の構成と類似した、潜像担持体に接触するスペーサ部材の接触面の幅方向略中央に、移動方向に沿った溝を１つ設ける構成が記載されている。しかし、上記したクリーニング領域の境界と、スペーサ部材の各接触面との幅方向の位置に関わる構成は記載も示唆もされていない。
したがって、特許文献２を参照したとしても、上記したようにクリーニング領域の境界を避けてスペーサ部材を配置してしまい、潜像担持体やクリーニング部材の幅方向の長さが長くなって、プロセスカートリッジや画像形成装置の小型化が困難になるおそれがある。
【００２９】
また、本従来例のスペーサ部材２１（ａ，ｂ）は、図４（ａ）に示すように、感光体３の感光体軸方向において、クリーニングブレード５によるクリーニング領域の内側、つまりクリーニング領域端の内側に配置されている。
クリーニングブレード５は、転写後に感光体３に残った転写残トナー等は清掃できるが、トナーから剥がれ落ちた遊離物質（シリカ等）は数ｎｍ程度の大きさであるため、クリーニングブレード５で清掃できずにすり抜けて、クリーニング残留物となる場合がある。このクリーニング残留物は、感光体３の回転にともなって、図４（ｂ）に示すように、スペーサ部材２１（ａ，ｂ）の感光体回転方向の上流側に堆積する。
【００３０】
その後、堆積したクリーニング残留物は、図４（ｃ）に示すように、振動等により、あるタイミングで最大画像領域側にこぼれる。この最大画像領域側にこぼれ落ちたクリーニング残留物は、図４（ｄ）に示すように、現像ローラ４（図２参照）やクリーニングブレード５によって感光体３上に押し付けられて、感光体３上に固着する。
そして、図４（ｅ）に示すように、固着したクリーニング残留物が起点となり、固着したクリーニング残留物の上に残留トナー等がさらに付着してしまうため固着物（通称：メダカ）が大きくなってしまい、最終的に画像不良が生じることととなる。
【００３１】
（実施例１）
本実施形態のプリンタ１００のプロセスカートリッジ２に備えた光書込ヘッド位置決め機構２０の構成の実施例１について、図を用いて説明する。
図５は、本実施例に係るスペーサ部材２１（ａ，ｂ）の感光体軸方向の配置、及び寸法関係の説明図である。図６は、本実施例に係るスペーサ部材２１（ａ，ｂ）の第１感光体接触面２１２（ａ，ｂ）及び第２感光体接触面２１３（ａ，ｂ）とクリーニングブレード５のクリーニング領域幅：Ｌ３の端部との関係の説明図でる。そして、図６（ａ）がスペーサ部材２１（ａ，ｂ）を上方から見た説明図、図６（ａ）がスペーサ部材２１（ａ，ｂ）を正面から見た説明図である。なお、図５においては、説明の関係上、感光体３上の各領域幅等や光書込ヘッド６１については側面を示し、スペーサ部材２１（ａ，ｂ）については、感光体３の感光体軸を通る平面で切った断面を示している。
【００３２】
本実施例では、上記した参考例の問題点を解消するために、光書込ヘッド位置決め機構２０を次のように構成した。
本実施例の露光装置６０に用いる光書込ヘッド６１は、上記した従来例と同様に、図示しない発光基板、及びレンズアレイ６２を保持するヘッドフレーム６３で構成されている。また、図５に示すように、光書込ヘッド６１の位置決めを行う光書込ヘッド位置決め機構２０に備えるスペーサ部材２１（ａ，ｂ）を、感光体３と光書込ヘッド６１との間に感光体３の感光体軸方向の両端近傍の２ヶ所設けている。
【００３３】
また、図６（ａ）に示すように、図中右側のスペーサ部材２１ａには、光書込ヘッド６１に接触するヘッド接触面であるヘッド接触面２１１ａを２箇所設けられている。一方、図中左側のスペーサ部材２１ｂには、光書込ヘッド６１に接触するヘッド接触面２１１ｂを１箇所設けられ、３つのヘッド接触面で光書込ヘッド６１を受けている。そして、図５に示すように、スペーサ部材２１（ａ，ｂ）のヘッド接触面２１１（ａ，ｂ）はレンズアレイ６２の感光体軸方向外側のヘッドフレーム６３に接触するよう配置されている。
しかし、本実施例の光書込ヘッド位置決め機構２０では、従来例と異なり、スペーサ部材２１（ａ，ｂ）には、図５に示すように感光体３に接触する担持体接触面として、第１感光体接触面２１２（ａ，ｂ）に加え、第２感光体接触面２１３（ａ，ｂ）を有している。すなわち、スペーサ部材２１（ａ，ｂ）には、それぞれ２つ（複数）の感光体接触面を有している。
【００３４】
また、第１感光体接触面２１２（ａ，ｂ）と第２感光体接触面２１３（ａ，ｂ）との間は、図５及び図６（ｂ）に示すように感光体３と接触していない。そして、スペーサ部材２１（ａ，ｂ）は、第１感光体接触面２１２（ａ，ｂ）及び第２感光体接触面２１３（ａ，ｂ）が感光体３上のクリーニング領域端を避けた位置に接触し、且つ、互いの間に感光体３上のクリーニング領域端が位置するように配置される。つまり、スペーサ部材２１（ａ，ｂ）は、各感光体接触面が感光体３上のクリーニング領域端を避け、且つ、跨ぐように配置されている。
【００３５】
上記のように構成することで、スジ状の残留トナーが感光体３とスペーサ部材２１（ａ，ｂ）との間に入り込んだ後、固着して潜像担持体に対する光書込ヘッドの位置精度が低下することを回避することが可能である。
このように回避できるため、例えスペーサ部材２１（ａ，ｂ）の感光体軸方向の長さが同じでも、従来の構成よりも、感光体軸方向に垂直な方向における、各スペーサ部材２１（ａ，ｂ）の配置の自由度を高めることができる。こように自由度を高めることで、各スペーサ部材２１（ａ，ｂ）の配置位置を、クリーニング領域端の位置ではなく、潜像担持体の最大画像領域幅：Ｌ１の端部との関係で決めることができる。
【００３６】
したがって、感光体３やクリーニングブレード５の感光体軸方向の長さを、従来例や、特許文献１、２のスペーサ部材を設けた構成よりも短くできる。
よって、感光体３に対する光書込ヘッド６１の位置精度の低下を抑制しつつ、プロセスカートリッジ２やプリンタ１００の小型化が可能な光書込ヘッド位置決め機構２０を提供できる。
また、クリーニングブレード５の長さを短くすることで、感光体３の感光体軸方向の長さを、さらに短くすることも可能である。
【００３７】
また、本実施例の光書込ヘッド位置決め機構２０では、図５等に示すように、スペーサ部材２１（ａ，ｂ）の第１感光体接触面２１２（ａ，ｂ）をクリーニングブレード５のクリーニング領域幅：Ｌ３内に配置している。このため、スペーサ部材２１（ａ，ｂ）の第１感光体接触面２１２（ａ，ｂ）の感光体回転方向上流側の側面には、クリーニング残留物が堆積するおそれがある。
しかし、図４（ａ）〜（ｅ）を用いて説明した従来例とは異なり、本実施例では、第１感光体接触面２１２（ａ，ｂ）に加え、第２感光体接触面２１３（ａ，ｂ）を設けているとともに、各感光体接触面の形状（幅）を異ならせている。
【００３８】
このため、クリーニング領域（クリーニング領域幅：Ｌ３）外の第２感光体接触面２１３（ａ，ｂ）よりも、クリーニング領域内の第１感光体接触面２１２（ａ，ｂ）の感光体軸方向の長さ（幅）を短くできる。したがって、クリーニング領域内の第１感光体接触面２１２（ａ，ｂ）の感光体回転方向上流側にクリーニング残留物が堆積することを抑制し、クリーニング残留物が最大画像領域（最大画像領域幅：Ｌ１）内で固着する機会を減らすことが可能となる。
また、クリーニング領域外の第２感光体接触面２１３（ａ，ｂ）よりも、クリーニング領域内の第１感光体接触面２１２（ａ，ｂ）の感光体軸方向の長さを短くすることで、同じ形状の感光体接触面を複数有する構成に比べて、クリーニング領域幅を短くできる。したがって、同じ形状の感光体接触面を複数有する構成よりも、感光体軸方向の感光体３やクリーニングブレード５の長さを短くすることもできる。
【００３９】
なお、上記した本実施例では、スペーサ部材２１（ａ，ｂ）の両方に第１感光体接触面２１２（ａ，ｂ）と第２感光体接触面２１３（ａ，ｂ）を設け、それぞれ有した各感光体接触面の間にクリーニング領域端が位置するように配置する構成の例を挙げて説明している。しかし、本発明はこのような構成に限定されるものではない。
例えば、スペーサ部材２１ａにだけ、第１感光体接触面２１２ａと第２感光体接触面２１３ａとを設けて、これらの間にクリーニング領域端の片方が位置するように配置しても良い。
上記のように、少なくとも一方のスペーサ部材２１ａを構成することで、上記した従来例や特許文献１、２に記載の構成よりも、感光体３やクリーニングブレード５の感光体軸方向の長さを短くできる。
但し、スペーサ部材２１（ａ，ｂ）の両方に第１感光体接触面２１２（ａ，ｂ）と第２感光体接触面２１３（ａ，ｂ）を設け、各感光体接触面の間にクリーニング領域端を位置させた方が、片方に設ける構成よりも感光体３やクリーニングブレード５を短くできる。
【００４０】
また、上記した本実施例では、スペーサ部材２１（ａ，ｂ）に、第１感光体接触面２１２（ａ，ｂ）と第２感光体接触面２１３（ａ，ｂ）の２つの感光体接触面を設ける構成の例を挙げて説明している。しかし、本発明はこのような構成に限定されるものではない。
例えば、スペーサ部材２１（ａ，ｂ）の第１感光体接触面２１２（ａ，ｂ）と第２感光体接触面２１３（ａ，ｂ）との間に、それぞれ第３の感光体接触面（ａ，ｂ）を設ける。そして、第１感光体接触面２１２（ａ，ｂ）と第３の感光体接触面（ａ，ｂ）との間に、それぞれクリーニング領域端が位置するようにスペーサ部材２１（ａ，ｂ）を配置しても良い。
【００４１】
上記のように３つ以上の感光体接触面（ａ，ｂ）を設けることで、各感光体接触面の感光体軸方向の長さ（幅）を短くして、クリーニング領域内に設けられる第１感光体接触面２１２（ａ，ｂ）の感光体軸方向の長さを短くすることが可能となる。そして、感光体回転方向上流側端部に堆積するクリーニング残留物の量を減らして、堆積したクリーニング残留物の固着に起因した、画像不良の発生を抑制することができる。
但し、スペーサ部材２１（ａ，ｂ）に設ける感光体接触面を、２つにした方が、３つ以上設ける構成よりも、加工誤差や磨耗の影響を低減でき、感光体３と各感光体接触面との接触状態を安定させることができる。
【００４２】
また、上記した本実施例の光書込ヘッド位置決め機構２０を備えることで、プロセスカートリッジ２、及びプリンタ１００は、光書込ヘッド位置決め機構２０と同様な効果を奏することができる。
【００４３】
（実施例２）
本実施形態のプリンタ１００のプロセスカートリッジ２に備えた光書込ヘッド位置決め機構２０の構成の実施例２について、図を用いて説明する。
図７は、本実施例に係るスペーサ部材２１（ａ，ｂ）の第１感光体接触面２１２（ａ，ｂ）及び第２感光体接触面２１３（ａ，ｂ）とクリーニングブレード５のクリーニング領域幅：Ｌ３の端部との関係の説明図でる。そして、図７（ａ）がスペーサ部材２１（ａ，ｂ）を上方から見た説明図、図７（ａ）がスペーサ部材２１（ａ，ｂ）を正面から見た説明図である。
【００４４】
図８は、本実施例に係るスペーサ部材２１ａの説明図である。そして、図８（ａ）がスペーサ部材２１ａの斜め上からの斜視説明図、図８（ｂ）がスペーサ部材２１ａの感光体軸方向内側からの側面説明図、図８（ｃ）がスペーサ部材２１ａの感光体３側からの底面説明図である。また、図８（ｄ）がスペーサ部材２１ａの第１感光体接触面２１２ａの幅である先端幅：ｔ１、及び第１感光体接触面２１２ａを設けたリブ形状部の根元の幅であるリブ幅：ｔ２の斜め下からの斜視説明図である。図９は、本実施例に係るスペーサ部材２１（ａ，ｂ）の第１感光体接触面２１２（ａ，ｂ）の幅である先端幅：ｔ１と荷重との関係を説明するグラフである。
【００４５】
本実施例の光書込ヘッド位置決め機構２０は、上記した実施例１の光書込ヘッド位置決め機構と、スペーサ部材２１（ａ，ｂ）の形状に係る点のみ異なる。したがって、上記した実施例１及び従来例と同様な構成、及びその作用・効果については、適宜、省略して説明する。また、同一の構成部材、又は同様な機能を果す構成部材については、特に区別する必要がない限り、同一の符号を付して説明する。
【００４６】
本実施例の光書込ヘッド位置決め機構２０では、上記したように、スペーサ部材２１（ａ，ｂ）に有した第１感光体接触面２１２（ａ，ｂ）を、上記した実施例１のスペーサ部材に有した第１感光体接触面と異なり、感光体回転方向に対して傾斜させている。なお、第１感光体接触面２１２（ａ，ｂ）と第２感光体接触面２１３（ａ，ｂ）の間に、クリーニング領域端が位置するようにスペーサ部材２１（ａ，ｂ）が配置されている点は、上記した実施例１と同様である。つまり、スペーサ部材２１（ａ，ｂ）は、各感光体接触面が感光体３上のクリーニング領域端を避け、且つ、クリーニング領域端を跨ぐように配置されている。したがって、上記した実施例１と同様な効果を奏することができる。
【００４７】
また、図７（ａ）、（ｂ）に示すように図中右側のスペーサ部材２１ａには光書込ヘッド６１に接触するヘッド接触面２１１ａが２ヶ所設けられている。一方、図中左側のスペーサ部材２１ｂには光書込ヘッド６１に接触するヘッド接触面２１１ｂが１ヶ所設けられ、３つの面で光書込ヘッド６１を受けている。
【００４８】
そして、スペーサ部材２１（ａ,ｂ）に有した第１感光体接触面２１２（ａ,ｂ）を感光体３の回転方向に対して傾斜させており、感光体回転方向に対して上流側から下流側に向かって、傾斜の方向は内側から外側に広がるような構成となっている。
この傾斜により、スペーサ部材２１（ａ,ｂ）に有した第１感光体接触面２１２（ａ,ｂ）の感光体回転方向上流側にクリーニング残留物が堆積することを防げるため、図４を用いて説明した従来例とは異なり、画像不良の発生を抑制することが可能となる。
【００４９】
具体的には、クリーニング領域内の第１感光体接触面２１２（ａ,ｂ）を傾斜させることで、感光体３の回転にともなって、傾斜に沿って第１感光体接触面２１２（ａ,ｂ）の感光体回転方向上流側のクリーニング残留物を移動させる（流す）ことができる。したがって、クリーニング領域内の第１感光体接触面２１２（ａ,ｂ）の感光体回転方向上流側にクリーニング残留物が堆積することを抑制し、クリーニング残留物が最大画像領域幅：Ｌ１などの最大画像領域内で固着する機会を減らすことが可能となる。
また、中央側に配置される第１感光体接触面２１２（ａ,ｂ）の傾斜を感光体回転方位上流から下流に向かって中央側から離れる傾斜とすることで、クリーニング残留物を傾斜に沿って移動させ、最大画像領域内（最大画像領域幅：Ｌ１）から遠ざけることができる。このように遠ざけることで、上記した実施例１の構成よりもクリーニング残留物が最大画像領域内で固着する機会を減らして、画像不良の発生を抑制できる。
【００５０】
次に、本実施例の光書込ヘッド位置決め機構２０に設けたスペーサ部材２１（ａ，ｂ）の構成について、さらに詳しく説明する。
なお、スペーサ部材２１（ａ，ｂ）は、感光体軸方向にほぼ対称な形状をしており、それぞれの構成も光書込ヘッド６１とのヘッド接触面（ａ，ｂ）の数を除き、ほぼ同様であるため、以下の説明では、スペーサ部材２１ａを例にとって説明する。
【００５１】
本実施例のスペーサ部材２１ａは、実施例１のスペーサ部材２１と同様に、感光体３との感光体接触面を、第１感光体接触面２１２ａと第２感光体接触面２１３ａの２つ設けている。
具体的には、図８（ａ）乃至（ｄ）に示すように、スペーサ部材２１ａは光書込ヘッド６１に接触するヘッド接触面２１１ａを２箇所、感光体３と接触する感光体接触面を第１感光体接触面２１２ａ、第２感光体接触面２１３ａの２箇所有している。そして、光書込ヘッド６１がヘッド接触面２１１ａ上に当接した際に、コイルばねなどからなる付勢手段（不図示）により、ヘッド接触面２１１ａは光書込ヘッド６１から感光体３方向への荷重を受ける構成となっている。
【００５２】
第１感光体接触面２１２ａと第２感光体接触面２１３ａとは、スペーサ部材２１ａの２つのヘッド接触面２１１ａを設けた平板状の部分の、各ヘッド接触面２１１ａを設けた面とは反対側（感光体３側）にそれぞれ形成されたリブ形状部の先端に形成された面である。また、第１感光体接触面２１２ａ、第２感光体接触面２１３ａを設けた各リブ形状部の他にはリブ形状部は設けず、図８（ｃ）に示すようにスペーサ部材２１ａの第１感光体接触面２１２ａ、第２感光体接触面２１３ａの各リブ形状部は、離して配置している。
【００５３】
また、図８（ｂ）、（ｃ）に示すように、感光体３と接触するリブ形状部に切欠かられた部分の先端の面である傾斜した第１感光体接触面２１２ａの形状は円弧形状で、且つ傾斜を有する形状となっている。そして、上記したようにスペーサ部材２１ａの傾斜部分の接触面でもある第１感光体接触面２１２ａは、スペーサ部材２１ａに設けられたリブ形状部の先端の面であるため、弾性変形し易くなり、感光体３との隙間をなくすことができる。したがって、クリーニング残留物のすり抜けを抑制できる。
加えて、図８（ｃ）、（ｄ）に示すように感光体３との第１感光体接触面２１２ａの幅である先端幅：ｔ１は、第１感光体接触面２１２ａを設けたリブ形状部の根元の幅であるリブ幅：ｔ２よりも細く（小さく）形成されている。このように構成することで、先端幅：ｔ１とリブ幅：ｔ２とが同じ構成のものよりも弾性変形し易くなり、感光体３にさらに当接し易くなるように構成されている。
【００５４】
ここで、先端幅：ｔ１とスペーサ部材２１ａにかける荷重の条件を変化させて、クリーニング残留物の除去効果と、感光体３及びスペーサ部材２１ａの耐久性の変化を検証する、発明者らが行った実験結果を図９を用いて説明する。なお、図９に示した実験結果を得た実験は以下のような条件のもとに行った。
＜実験条件＞
・感光体３の線速：２４０［ｍｍ／ｓ］
・感光体径：φ３０［ｍｍ］
・押圧方法：ヘッド接触面２１１ａを２箇所を押圧
・第１感光体接触面２１２ａの形状：
感光体回転方向（第２感光体接触面２１３ａ）に対するリブ形状部の角度：２３［°］
感光体軸方向に垂直なリブ形状部が設けられた平面に投影した場合の長さ：１２．８［ｍｍ］
・第２感光体接触面２１３ａの形状：
感光体軸方向長さ（幅）：２．０［ｍｍ］
感光体３と接触している部分の円弧の長さ：９．７［ｍｍ］
【００５５】
図９に示すように、スペーサ部材２１ａの第１感光体接触面２１２ａの先端の幅である先端幅：ｔ１については、小さいほうが第１感光体接触面２１２ａは感光体３に当接し易いが、小さくしすぎると部品製作し難くなる。或いは、感光体３上の付着物により、スペーサ部材２１ａの第１感光体接触面２１２ａ（,ｂ）を設けたリブ形状部の先端近傍が欠ける等の問題が発生する。このようにリブ形状部の先端近傍が欠けると、欠けた以降、感光体３上のクリーニング残留物のすり抜けが発生してしまい好適にクリーニング残留物の除去が行えなくなってしまう。
このようなリブ形状部の先端近傍の欠けの発生を抑制するためには、図９に示すように、先端幅：ｔ１を０．１［ｍｍ］以上に設定することが望ましい。
【００５６】
一方、スペーサ部材２１ａの第１感光体接触面２１２ａの幅である先端幅：ｔ１を、大きくすると部品製作が容易になるが、第１感光体接触面２１２ａが感光体３に当接し難くなる。このように、リブ形状部の先端の第１感光体接触面２１２ａが感光体３に当接し難くなると、感光体３との間に隙間ができてしまい、感光体３上のクリーニング残留物のすり抜けが発生してしまい好適にクリーニング残留物の除去が行えなくなってしまう。
このように感光体３との間に隙間が発生を抑制するためには、図９に示すように、先端幅：ｔ１を０．６［ｍｍ］以下に設定することが望ましい。
【００５７】
また、スペーサ部材２１ａにかける荷重については、大きい方がスペーサ部材２１ａは感光体３に当接し易くなるが、感光体３やスペーサ部材２１ａが摩耗してしまい、耐久試験後半での耐久性が低下する（磨耗ＮＧ）。そして、光書込ヘッド６１と感光体３の距離が近づきすぎて光書込ヘッド６１の焦点ボケが発生してしまう。
このような感光体３やスペーサ部材２１ａの耐久性の低下を抑制するためには、図９に示すように、スペーサ部材２１ａにかける荷重を８［Ｎ］以下に設定することが望ましい。
【００５８】
一方、スペーサ部材２１ａにかける荷重を小さくすると、感光体３やスペーサ部材２１ａの摩耗を抑制して耐久性を向上させることができるが、スペーサ部材２１ａの第１感光体接触面２１２ａが感光体３に当接し難くなる。このように、リブ形状部の先端の第１感光体接触面２１２ａが感光体３に当接し難くなると、感光体３との間に隙間ができてしまい、感光体３上のクリーニング残留物のすり抜けが発生してしまい好適にクリーニング残留物の除去が行えなくなってしまう。
このように感光体３との間に隙間が発生を抑制するためには、図９に示すように、スペーサ部材２１ａにかける荷重を３［Ｎ］以上に設定することが望ましい。
【００５９】
以上の結果により、本実施例の構成においてはスペーサ部材２１ａの先端の先端幅：ｔ１は０．１［ｍｍ］〜０．６［ｍｍ］の範囲、スペーサ部材２１ａにかける荷重は３［Ｎ］〜８［Ｎ］の範囲に設定することが望ましいといえる。
すなわち、傾斜した、スペーサ部材２１ａのリブ形状部の先端に形成された第１感光体接触面２１２ａの先端幅：ｔ１を０．１［ｍｍ］〜０．６［ｍｍ］の範囲に設定することで、次のような効果を奏することができる。感光体３表面に付着したクリーニング残留物によるスペーサ部材２１ａに形成された傾斜を有する第１感光体接触面２１２ａの欠けを抑制できる。また、傾斜を有する第１感光体接触面２１２ａと感光体３との当接不足により生じた隙間から、クリーニング残留物のすり抜けの発生も抑制できる。
【００６０】
また、スペーサ部材２１ａにかける荷重を３［Ｎ］〜８［Ｎ］の範囲に設定することで、次のような効果を奏することができる。感光体３やスペーサ部材２１ａの磨耗による感光体３に対する光書込ヘッド６１の位置精度の低下に起因した光書込ヘッド６１の焦点ボケの発生を抑制できる。また、スペーサ部材２１ａに形成された傾斜を有する第１感光体接触面２１２ａと感光体３との当接不足によるクリーニング残留物のすり抜けの発生を抑制できる。
【００６１】
（実施例３）
本実施形態のプリンタ１００のプロセスカートリッジ２に備えた光書込ヘッド位置決め機構２０の構成の実施例３について、図を用いて説明する。
図１０は、本実施例に係るスペーサ部材２１（ａ，ｂ）の第１感光体接触面２１２（ａ，ｂ）及び第２感光体接触面２１３（ａ，ｂ）とクリーニングブレード５のクリーニング領域幅の端部との関係の説明図である。
【００６２】
本実施例の光書込ヘッド位置決め機構２０は、上記した実施例２の光書込ヘッド位置決め機構と、スペーサ部材２１（ａ，ｂ）の配置に係る点のみ異なる。したがって、上記した実施例１、２及び従来例と同様な構成、及びその作用・効果については、適宜、省略して説明する。また、同一の構成部材、又は同様な機能を果す構成部材については、特に区別する必要がない限り、同一の符号を付して説明する。
【００６３】
本実施例の光書込ヘッド位置決め機構２０は、上記した実施例２と、第１感光体接触面２１２（ａ，ｂ）の感光体軸方向内側の端部を最大画像領域幅：Ｌ１内に配置していることに係る点のみ異なる。
具体的には、本実施例の光書込ヘッド位置決め機構２０では、図１０（ａ）、（ｂ）に示すように、上記した実施例２のスペーサ部材よりも、感光体軸方向内側にスペーサ部材２１（ａ，ｂ）を配置している。そして、スペーサ部材２１（ａ，ｂ）に有した傾斜した第１感光体接触面２１２（ａ，ｂ）を、その先端部に形成するリブ形状部の感光体回転方向上流側端部を最大画像領域幅：Ｌ１内に、下流側端部を最大画像領域幅：Ｌ１外になるように配置している。なお、スペーサ部材２１（ａ，ｂ）の配置位置は、第１感光体接触面２１２（ａ，ｂ）を、その先端部に形成するリブ形状部で、光書込ヘッド６１による感光体３の最大画像領域幅：Ｌ１の範囲を妨げない位置としている。
【００６４】
つまり、光書込ヘッド位置決め機構２０の感光体軸方向の中央側に配置される第１感光体接触面２１２（ａ，ｂ）は、感光体回転方向上流から下流に向かって、感光体３における最大画像領域の内側から外側にわたって接触するような傾斜を有している。
このように光書込ヘッド位置決め機構２０を構成することで、次のような効果を奏することができる。
中央側に配置される第１感光体接触面２１２（ａ，ｂ）の感光体方向上流側であって、最大画像領域内のクリーニング残留物を最大画像領域外に移動させることができる。したがって、クリーニング残留物が最大画像領域内で固着する機会を、上記した実施例２の構成よりも減らして、画像不良の発生をさらに抑制できる。つまり、クリーニング残留物が最大画像領域内で固着する機会を大幅に減らして、画像不良の発生をさらに抑制できる。また、上記した実施例２よりも、スペーサ部材２１（ａ，ｂ）を、感光体軸方向内側に配置できるので、実施例２の構成よりも、感光体３の感光体軸方向の長さを短くすることもできる。
【００６５】
また、上記した実施例２の構成では、僅かではあるが、第１感光体接触面２１２（ａ，ｂ）の感光体回転方向上流側の端部から感光体軸方向外側に移動されずに、クリーニング残留物が感光体軸方向内側にこぼれることがある。このため、第１感光体接触面２１２（ａ，ｂ）の感光体軸方向内側の端部付近の感光体３上に、クリーニング残留物の固着が、僅かではあるが発生するおそれがある。この固着を放置したまま、画像形成動作を長期に亘り継続すると、固着したクリーニング残留物の上に残留トナー等がさらに付着してしまい、固着物が大きくなって最終的に画像不良が生じてしまうおそれがある。
【００６６】
一方、本実施例の構成のように第１感光体接触面２１２（ａ，ｂ）の感光体回転方向上流側の端部を最大画像領域内に設けることで、これらの端部からこぼれる僅かなクリーニング残留物を、最大画像領域内にこぼすことができる。
このように、最大画像領域内にこぼすことで、仮にこぼれたクリーニング残留物が感光体３上に固着したとしても、次回、クリーニングブレード５を通過するときに、転写残トナーによる研磨作用を利用して、かき取ることが可能となる。また、定期的に、感光体３上に、クリーニング用のトナーを担持させ、上記した固着物を積極的に除去するように構成することもできる。
【００６７】
（実施例４）
本実施形態のプリンタ１００のプロセスカートリッジ２に備えた光書込ヘッド位置決め機構２０の構成の実施例４について、図を用いて説明する。
図１１は、本実施例に係るスペーサ部材２１ｂの第１感光体接触面２１２ｂ及び第２感光体接触面２１３ｂと、感光体３の表面との接触状態の説明図である。そして、図１１（ａ）が付勢手段により付勢する前の状態を示し、図１１（ｂ）が付勢手段により付勢した後の状態を示している。
【００６８】
本実施例の光書込ヘッド位置決め機構２０は、上記した実施例２、３の光書込ヘッド位置決め機構と、付勢手段により付勢される前のスペーサ部材２１（ａ，ｂ）の形状を規定したことに係る点のみ異なる。したがって、上記した実施例１乃至３及び従来例と同様な構成、及びその作用・効果については、適宜、省略して説明する。また、同一の構成部材、又は同様な機能を果す構成部材については、特に区別する必要がない限り、同一の符号を付して説明する。
【００６９】
上記した実施例２、３の光書込ヘッド位置決め機構２０は、実施例２で説明したように、光書込ヘッド６１がヘッド接触面２１１（ａ，ｂ）上に当接した際に、ヘッド接触面２１１ａは、付勢手段により光書込ヘッド６１側から感光体３方向への荷重を受ける。この荷重により、スペーサ部材２１（ａ，ｂ）の、少なくとも第１感光体接触面２１２（ａ，ｂ）は、弾性変形して感光体３との隙間をなくすことができ、クリーニング残留物のすり抜けを抑制できる旨、実施例２では説明した。また、第１感光体接触面２１２（ａ，ｂ）の感光体３に接触する先端幅：ｔ１の好適な範囲や、スペーサ部材２１（ａ，ｂ）にかける荷重の好適な範囲について説明した。
そして、実施例２、３では、第１感光体接触面２１２（ａ，ｂ）及び第２感光体接触面２１３（ａ，ｂ）が感光体３に向けて付勢手段により付勢される前の形状については、第１感光体接触面２１２（ａ，ｂ）の形状が円弧形状であるとしか規定していなかった。
【００７０】
しかし、スペーサ部材２１（ａ，ｂ）の加工誤差や取り付け誤差等により、スペーサ部材２１（ａ，ｂ）が、感光体３に向けて付勢手段により付勢されて接触したときの、位置及び姿勢が不安定になるおそれがある。このように不安定になると、第１感光体接触面２１２（ａ，ｂ）及び第２感光体接触面２１３（ａ，ｂ）が、感光体３に接触する位置や姿勢が、設計時に想定したものと異なって、光書込ヘッド６１と感光体３との間の、所望の距離を得られなくなってしまう。つまり、正常に光書込ヘッド６１の位置決めを行うことができなくなってしまう。
また、第１感光体接触面２１２（ａ，ｂ）及び第２感光体接触面２１３（ａ，ｂ）の内のいずれかと、感光体３との当接圧が高まってしまい、当接圧が高まった感光体接触面や感光体３の部分の磨耗が進んで、これらにキズが付いてしまう。
【００７１】
そこで、本実施例のスペーサ部材２１（ａ，ｂ）では、第１感光体接触面２１２（ａ，ｂ）と第２感光体接触面２１３（ａ，ｂ）の曲率半径を次のように設定（規定）することとした。感光体３の回転方向と傾斜を持っている第１感光体接触面２１２（ａ，ｂ）の曲率半径を感光体３の曲率半径よりも小さく、第２感光体接触面２１３（ａ，ｂ）の曲率半径を感光体３の曲率半径よりも大きく設定した。
ここで、本実施例のスペーサ部材２１（ａ，ｂ）の構成は、ヘッド接触面２１１（ａ，ｂ）の個数、及び、各スペーサ部材２１の平板部に設ける位置に係ることが異なるだけであるので、以下の具体的な説明では、スペーサ部材２１ｂについて説明する。
【００７２】
本実施例では、付勢手段により、スペーサ部材２１ｂが付勢される前の各感光体接触面の形状を次のように設定した。図１１（ａ）の右図に示すように第１感光体接触面２１２ｂの曲率半径を感光体３の曲率半径よりも小さくし、図１１（ａ）の左図に示すように第２感光体接触面２１３ｂの曲率半径を感光体３の曲率半径よりも大きくした。
このように設定することで、付勢手段により付勢される前の第１感光体接触面２１２ｂは、図１１（ａ）の右図に示すように、感光体３の回転方向上流側の端部である第１接触箇所と、回転方向下流側の第２接触箇所で、感光体３に接触する。また、付勢手段により付勢される前の第２感光体接触面２１３ｂは、図１１（ａ）の左図に示すように、感光体３の回転方向上流側の端部と回転方向下流側の端部との間の第３接触箇所で、感光体３に接触する。
いずれの接触箇所でも、感光体３の軸方向断面においおては点接触するように接触し、図１１（ａ）の中央の平面図に示すように、感光体３と３箇所で接触している。
【００７３】
そして、付勢手段によりスペーサ部材２１ｂが付勢されると、第１感光体接触面２１２ｂは、図１１（ｂ）の右図に示すように、弾性変形して感光体３の対向する部分と第１感光体接触面２１２ｂの全体である第１接触領域で、感光体３に面接触する。一方、第２感光体接触面２１３ｂは、僅かに弾性変形するものの、感光体３の対向する部分と第３接触箇所である小さな部分で点接触するように接触する。
上記のように第１感光体接触面２１２ｂと感光体３とが面接触して密着し、第１感光体接触面２１２ｂと感光体３との間へのクリーニング残留物の侵入を、より低減することができる。
加えて、面接触する第１感光体接触面２１２ｂと、点接触するように接触する第２感光体接触面２１３ｂとで感光体３に接触する。つまり、２つの感光体接触面の感光体３に接触する曲面の軸が若干ずれていても、感光体３とスペーサ部材２１の接触する位置（場所）や姿勢は大きく変わらず、光書込ヘッド６１と感光体３の距離を安定させることができる。
【００７４】
また、付勢手段により付勢して、荷重をかけた際に変形させる必要のあるスペーサ部材２１ｂの感光体接触面は２つの内、第１感光体接触面２１２ｂの１つだけなので、かける荷重も小さくてすむ。
さらに、荷重をかける前後共にスペーサ部材２１ｂと感光体３は、面接触する第１感光体接触面２１２ｂと、点接触するように接触する第２感光体接触面２１３ｂの２箇所、つまり、３点以上で接触している。このため、スペーサ部材２１ｂは感光体３に対して位置が安定し、光書込ヘッド６１と感光体３の距離も安定する。
【００７５】
（実施例５）
本実施形態のプリンタ１００のプロセスカートリッジ２に備えた光書込ヘッド位置決め機構２０の構成の実施例５について、図を用いて説明する。
図１２は、本実施例に係るスペーサ部材２１ｂの第１感光体接触面２１２ｂ及び第２感光体接触面２１３ｂと、感光体３の表面との接触状態の説明図である。そして、図１２（ａ）が付勢手段により付勢する前の状態を示し、図１２（ｂ）が付勢手段により付勢した後の状態を示している。
【００７６】
本実施例の光書込ヘッド位置決め機構２０は、上記した実施例４の光書込ヘッド位置決め機構と、スペーサ部材２１（ａ，ｂ）に設けた第２感光体接触面２１３（ａ，ｂ）の形状に係る点のみ異なる。したがって、上記した実施例１乃至４及び従来例と同様な構成、及びその作用・効果については、適宜、省略して説明する。また、同一の構成部材、又は同様な機能を果す構成部材については、特に区別する必要がない限り、同一の符号を付して説明する。
【００７７】
上記した実施例４のスペーサ部材２１（ａ，ｂ）では、第２感光体接触面２１３（ａ，ｂ）の曲率半径を、感光体３の曲率半径よりも大きくするとしか、規定していなかった。
本実施例のスペーサ部材２１（ａ，ｂ）では、第２感光体接触面２１３（ａ，ｂ）の曲率半径を無限大、すなわち、第２感光体接触面２１３を平面とする構成とした。
具体的には、図１２（ａ）、（ｂ）の左図に示すように、第２感光体接触面２１３ｂを平面とした。
このようにスペーサ部材２１（ａ，ｂ）の形状を設定することで、スペーサ部材２１（ａ，ｂ）の製作が単純化され、部品精度を向上させることができる。
したがって、光書込ヘッド６１と感光体３の距離の精度を、より向上させることができる。
【００７８】
（実施例６）
本実施形態のプリンタ１００のプロセスカートリッジ２に備えた光書込ヘッド位置決め機構２０の構成の実施例６について、図を用いて説明する。
図１３は、本実施例に係るスペーサ部材２１ｂの第１感光体接触面２１２ｂ及び第２感光体接触面２１３ｂと、感光体３の表面との接触状態の説明図である。そして、図１３（ａ）が付勢手段により付勢する前の状態を示し、図１３（ｂ）が付勢手段により付勢した後の状態を示している。
【００７９】
本実施例の光書込ヘッド位置決め機構２０は、上記した実施例４、５の光書込ヘッド位置決め機構と、スペーサ部材２１（ａ，ｂ）に設けた第２感光体接触面２１３（ａ，ｂ）の形状に係る点のみ異なる。したがって、上記した実施例１乃至５及び従来例と同様な構成、及びその作用・効果については、適宜、省略して説明する。また、同一の構成部材、又は同様な機能を果す構成部材については、特に区別する必要がない限り、同一の符号を付して説明する。
【００８０】
上記した実施例４のスペーサ部材２１（ａ，ｂ）では、第２感光体接触面２１３（ａ，ｂ）の曲率半径を、感光体３の曲率半径よりも大きくするとし、実施例５のスペーサ部材２１（ａ，ｂ）では、第２感光体接触面２１３（ａ，ｂ）を、平面としていた。
本実施例のスペーサ部材２１（ａ，ｂ）では、第２感光体接触面２１３（ａ，ｂ）に凸部を設け、感光体３との接触部をこの凸部の底面とする構成とした。
具体的には、図１３（ａ）、（ｂ）の左図に示すように、感光体３の曲率半径よりも大きい曲率半径を有した第２感光体接触面２１３ｂに凸部を設け、感光体３との接触部をこの凸部の底面とする構成とした。
このようにスペーサ部材２１（ａ，ｂ）の形状を設定することで、部品の精度を確保する必要がある部分が、第２感光体接触面２１３（ａ，ｂ）全体ではなく凸部の底面部のみでよくなる。
したがって、光書込ヘッド６１と感光体３の距離の精度を、より向上させることができる。
【００８１】
上記本実施形態では、本発明を直接転写方式のモノクロ画像形成装置であるプリンタ１００に適用した例について説明したが、本発明はこのような構成に限定されるものではない。例えば、４回転方式のカラー対応の画像形成装置、直転タンデム方式のカラー対応の画像形成装置、中間転写タンデム方式のカラー対応の画像形成装置にも適用可能である。
また、潜像担持体としてドラム状の感光体３を用いたプリンタ１００について説明したが、本発明はこのような構成に限定されるものではなく、例えば、無端ベルト状の感光体、所謂、感光体ベルトを用いた画像形成装置にも適用可能である。より具体的には、感光体ベルトの架張ローラ（バックアップローラ）に感光体ベルトを介してスペーサ部材を当接させ、このスペーサ部材により感光体ベルトに対して光書込ヘッドの位置を決める光書込ヘッド位置決め機構を備えた画像形成装置にも適用可能である。
【００８２】
以上に説明したものは一例であり、本発明は、次の態様毎に特有の効果を奏する。
（態様Ａ）
感光体３などの静電潜像を担持する潜像担持体と、該潜像担持体を露光するための光書込ヘッド６１などの光書込ヘッドとの間に設けられ、前記潜像担持体と接触する第１感光体接触面２１２（ａ，ｂ）や第２感光体接触面２１３（ａ，ｂ）などの担持体接触面と、前記光書込ヘッドと接触するヘッド接触面（ａ，ｂ）などのヘッド接触面とを有し、前記潜像担持体と前記光書込ヘッドとの間隔を決めるスペーサ部材２１（ａ，ｂ）などのスペーサ部材を設けた光書込ヘッド位置決め機構２０などの光書込ヘッド位置決め機構において、前記潜像担持体には、その表面を清掃するクリーニングブレード５などのクリーニング部材が接触しており、スペーサ部材２１ａなどの少なくとも１つのスペーサ部材は、前記潜像担持体上の前記クリーニング部材によるクリーニング領域幅：Ｌ３の端部などのクリーニング領域の境界を避けた複数の担持体接触面を有し、少なくとも２つの隣り合う第１感光体接触面２１２ａと第２感光体接触面２１３ａなどの担持体接触面の間に前記クリーニング領域の境界が位置するように配置されることを特徴とするものである。
【００８３】
これによれば、上記した実施例１（乃至３）で説明したように、次のような効果を奏することができる。
本態様では、少なくとも１つのスペーサ部材は、潜像担持体上のクリーニング領域の境界であるクリーニング領域端を避けた複数の担持体接触面の内、少なくとも２つの隣り合う担持体接触面の間に前記クリーニング領域の境界が位置するように配置される。
このため、少なくとも１つのスペーサ部材は、スジ状の残留トナーが潜像担持体とスペーサ部材の各担持体接触面との間に入り込んだ後、固着して潜像担持体に対する光書込ヘッドの位置精度が低下することを回避することが可能である。
【００８４】
このように回避できるため、例えスペーサ部材の感光体軸方向などの潜像担持体移動方向に垂直な方向の長さが同じでも、従来の構成よりも、潜像担持体移動方向に垂直な方向における、少なくとも１つのスペーサ部材の配置の自由度を高めることができる。こように自由度を高めることで、少なくとも１つのスペーサ部材の配置位置を、クリーニング領域端の位置ではなく、潜像担持体の最大画像領域幅：Ｌ１の端部などの最大画像領域端部の位置との関係で決めることができる。
したがって、潜像担持体やクリーニング部材の潜像担持体移動方向に垂直な方向の長さを、従来例や、特許文献１、２のスペーサ部材を設けた構成よりも短くできる。
よって、潜像担持体に対する光書込ヘッドの位置精度の低下を抑制しつつ、プロセスカートリッジ２などのプロセスカートリッジやプリンタ１００などの画像形成装置の小型化が可能な光書込ヘッド位置決め機構を提供できる。
【００８５】
（態様Ｂ）
（態様Ａ）において、前記複数の担持体接触面を有したスペーサ部材２１（ａ，ｂ）などのスペーサ部材は、第１感光体接触面２１２（ａ，ｂ）や第２感光体接触面２１３（ａ，ｂ）などの２つの担持体接触面を有していることを特徴とするものである。
これによれば、上記した実施例１（乃至３）で説明したように、スペーサ部材の担持体接触面と感光体３などの潜像担持体の表面との接触状態を安定させることができる。
【００８６】
（態様Ｃ）
（態様Ａ）又は（態様Ｂ）において、第１感光体接触面２１２（ａ，ｂ）や第２感光体接触面２１３（ａ，ｂ）などの前記複数の担持体接触面を有したスペーサ部材２１（ａ，ｂ）などのスペーサ部材は、前記クリーニング領域の両側の境界を跨ぐように２つ設けられていることを特徴とするものである。
これによれば、上記した実施例１（乃至３）で説明したように、次のような効果を奏することができる。
クリーニング領域の境界を跨ぐスペーサ部材をクリーニング領域の一方に配置する構成よりも、感光体３などの潜像担持体の回転方向などの移動方向に垂直な感光体軸方向などの方向の潜像担持体やクリーニングブレード５などのクリーニング部材の長さを短できる。
【００８７】
（態様Ｄ）
（態様Ａ）乃至（態様Ｃ）のいずれかにおいて、第１感光体接触面２１２（ａ，ｂ）や第２感光体接触面２１３（ａ，ｂ）などの前記複数の担持体接触面は、それぞれ形状が異なっていることを特徴とするものである。
【００８８】
これによれば、上記した実施例１乃至３で説明したように、次のような効果を奏することができる。
例えば、クリーニング領域幅：Ｌ３などのクリーニング領域外の第２感光体接触面２１３（ａ，ｂ）などの担持体接触面よりも、クリーニング領域内の第１感光体接触面２１２（ａ，ｂ）などの担持体接触面の潜像担持体移動方向に垂直な方向の幅を短くできる。また、クリーニング領域内の担持体接触面を傾斜させることもできる。これらのように構成することで、クリーニング領域内の担持体接触面の潜像担持体移動方向上流側にクリーニング残留物が堆積することを抑制し、クリーニング残留物が最大画像領域幅：Ｌ１などの最大画像領域内で固着する機会を減らすことが可能となる。
【００８９】
また、クリーニング領域外の担持体接触面よりも、クリーニング領域内の担持体接触面の潜像担持体移動方向に垂直な方向の長さを短くすることで、同じ形状の担持体接触面を複数有する構成に比べて、クリーニング領域幅を短くできる。したがって、同じ形状の担持体接触面を複数有する構成よりも、潜像担持体の移動方向に垂直な方向の感光体３などの潜像担持体やクリーニングブレード５などのクリーニング部材の長さを短くすることもできる。
【００９０】
（態様Ｅ）
（態様Ｄ）において、第１感光体接触面２１２（ａ，ｂ）や第２感光体接触面２１３（ａ，ｂ）などの前記複数の担持体接触面の内、感光体３などの前記潜像担持体の回転方向などの移動方向に垂直な感光体軸方向などの方向における該潜像担持体の中央側の第１感光体接触面２１２（ａ，ｂ）などの担持体接触面は、前記潜像担持体の移動方向に対して傾斜を有していることを特徴とするものである。
【００９１】
これによれば、上記した実施例２（又は３）で説明したように、次のような効果を奏することができる。
傾斜を有した担持体接触面に沿ってクリーニング領域幅：Ｌ３などのクリーニング領域内のクリーニング残留物を移動させることができ、スペーサ部材２１（ａ，ｂ）などのスペーサ部材の潜像担持体移動方向上流側に堆積することを抑制できる。
また、中央側に配置される担持体接触面の傾斜を潜像担持体の移動方向上流から下流に向かって中央側から離れる傾斜とすることで、クリーニング残留物を傾斜に沿って移動させ、最大画像領域幅：Ｌ１などの最大画像領域内から遠ざけることができる。このように遠ざけることで、クリーニング残留物が最大画像領域内で固着する機会を減らして、画像不良の発生を抑制できる。
【００９２】
（態様Ｆ）
（態様Ｅ）において、第１感光体接触面２１２（ａ，ｂ）などの前記中央側の担持体接触面は、感光体３などの前記潜像担持体の回転方向などの移動方向上流から下流に向かって、前記潜像担持体における最大画像領域幅：Ｌ１の端部などの最大画像領域の内側から外側にわたって接触するような傾斜を有していることを特徴とするものである。
これによれば、上記した実施例３で説明したように、次のような効果を奏することができる。
中央側に配置される担持体接触面の潜像担持体移動方向上流側であって、最大画像領域内のクリーニング残留物を最大画像領域外に移動させて、クリーニング残留物が最大画像領域内で固着する機会を（態様Ｅ）よりも減らして、画像不良の発生をさらに抑制できる。また、（態様Ｅ）よりも、スペーサ部材２１（ａ，ｂ）などのスペーサ部材を、感光体軸方向などの潜像担持体移動方向に垂直な方向内側に配置できるので、（態様Ｅ）よりも、潜像担持体の潜像担持体移動方向に垂直な方向の長さを短くすることもできる。
【００９３】
また、（態様Ｅ）では、僅かではあるが、中央側の担持体接触面の潜像担持体移動方向上流側の端部から潜像担持体の軸方向外側に移動されずに、クリーニング残留物が潜像担持体の軸方向内側にこぼれることがある。このため、中央側の担持体接触面の潜像担持体方向内側の端部付近の潜像担持体上に、クリーニング残留物の固着が、僅かではあるが発生するおそれがある。
一方、本態様の構成のように中央側の担持体接触面の潜像担持体移動方向上流側の端部を最大画像領域内に設けることで、これらの端部からこぼれる僅かなクリーニング残留物を、最大画像領域内にこぼすことができる。
このように、最大画像領域内にこぼすことで、仮にこぼれたクリーニング残留物が潜像担持体上に固着したとしても、次回、クリーニング部材を通過するときに、転写残トナーによる研磨作用を利用して、かき取ることが可能となる。また、定期的に、潜像担持体上に、クリーニング用のトナーを担持させ、上記した固着物を積極的に除去するように構成することもできる。
【００９４】
（態様Ｇ）
（態様Ｅ）又は（態様Ｆ）において、第１感光体接触面２１２（ａ，ｂ）などの前記中央側の担持体接触面は、該担持体接触面を有するスペーサ部材２１（ａ，ｂ）などのスペーサ部材に形成されたリブ形状部の先端の面であることを特徴とするものである。
これによれば、上記した実施例２（又は３）で説明したように、次のような効果を奏することができる。
傾斜を有する担持体接触面をリブ形状部の先端の面とすることで、この担持体接触面が弾性変形しやすくなり、感光体３などの潜像担持体との隙間をなくすことができ、クリーニング残留物のすり抜けを抑制できる。
【００９５】
（態様Ｈ）
（態様Ａ）乃至（態様Ｇ）のいずれかにおいて、第１感光体接触面２１２（ａ，ｂ）や第２感光体接触面２１３（ａ，ｂ）などの前記複数の担持体接触面を有したスペーサ部材２１（ａ，ｂ）などのスペーサ部材を感光体３などの潜像担持体側へ向って付勢するスプリングなどの付勢手段を備え、前記複数の担持体接触面は、前記クリーニング領域の境界を跨ぐように２つ設けられ、前記２つの担持体接触面の内、前記潜像担持体の移動方向に垂直な方向における該潜像担持体の中央側の第１感光体接触面２１２（ａ，ｂ）などの担持体接触面は、曲率半径が前記潜像担持体の曲率半径よりも小さく、他方の第２感光体接触面２１３（ａ，ｂ）などの担持体接触面の曲率半径が前記潜像担持体の曲率半径よりも大きいことを特徴とするものである。
【００９６】
これによれば、上記した実施例４（乃至６）で説明したように、付勢手段によりスペーサ部材を潜像担持体側へ向って付勢したときに、スペーサ部材の中央側の担持体接触面は、弾性変形して潜像担持体の対向する部分と第１接触領域などで面接触する。一方、他方の担持体接触面は、僅かに弾性変形するものの、潜像担持体の対向する部分と第３接触箇所などの小さな部分で点接触するように接触する。
上記のように中央側の担持体接触面と潜像担持体とが面接触して密着し、中央側の担持体接触面と潜像担持体との間へのクリーニング残留物の侵入を、より低減することができる。
加えて、面接触する中央側の担持体接触面と、点接触するように接触する他方の担持体接触面で潜像担持体に接触することで、光書込ヘッド６１などの光書込ヘッドを位置決めするときに付勢されるスペーサ部材の位置や姿勢が安定しする。したがって、光書込ヘッドと潜像担持体の間の距離の精度を高めることができる。
【００９７】
（態様Ｉ）
（態様Ｈ）において、前記他方の第２感光体接触面２１３（ａ，ｂ）などの担持体接触面が平面であることを特徴とするものである。
これによれば、上記した実施例５で説明したように、次のような効果を奏することができる。
スペーサ部材２１（ａ，ｂ）などのスペーサ部材の他方の担持体接触面を曲面ではなく平面にすることで、スペーサ部材の製作が単純化され、部品精度を向上させることができる。
したがって、光書込ヘッド６１などの光書込ヘッドと感光体３などの潜像担持体の距離の精度を、より高めることができる。
【００９８】
（態様Ｊ）
（態様Ｈ）又は（態様Ｉ）において、前記他方の第２感光体接触面２１３（ａ，ｂ）などの担持体接触面に凸形状部２６１などの凸部が設けられ、前記他方の担持体接触面と感光体３などの前記潜像担持体は前記凸部のみで接触していることを特徴とするものである。
これによれば、上記した実施例６で説明したように、次のような効果を奏することができる。
スペーサ部材２１（ａ，ｂ）などのスペーサ部材の他方の担持体接触面に凸部を設け、潜像担持体と接触する部分を、凸部の底面とすることで、部品の精度を確保する必要がある部分が、担持体接触面全体ではなく凸部の底面部のみでよくなる。
したがって、光書込ヘッド６１などの光書込ヘッドと潜像担持体の距離の精度を、より高めることができる。
【００９９】
（態様Ｋ）
光書込ヘッド６１などの光書込ヘッドの露光により静電潜像が形成される感光体３などの潜像担持体と、該潜像担持体に対する前記光書込ヘッドの位置を決める光書込ヘッド位置決め機構とを有したプロセスカートリッジ２などのプロセスカートリッジにおいて、前記光書込ヘッド位置決め機構として、（態様Ａ）乃至（態様Ｊ）のいずれかの光書込ヘッド位置決め機構２０などのド位置決め機構を備えたことを特徴とするものである。
これによれば、上記した実施例１（乃至６）で説明したように、（態様Ａ）乃至（態様Ｇ）のいずれかの光書込ヘッド位置決め機構と同様な効果を奏することができるプロセスカートリッジを提供できる。
【０１００】
（態様Ｌ）
光書込ヘッド６１などの光書込ヘッドと、該光書込ヘッドの露光により静電潜像が形成される感光体３などの潜像担持体と、該潜像担持体に対する前記光書込ヘッドの位置を決める光書込ヘッド位置決め機構とを備えたプリンタ１００などの画像形成装置において、前記光書込ヘッド位置決め機構として、（態様Ａ）乃至（態様Ｊ）のいずれかの光書込ヘッド位置決め機構２０などの光書込ヘッド位置決め機構、又は（態様Ｋ）のプロセスカートリッジに有した光書込ヘッド位置決め機構を備えたことを特徴とするものである。
これによれば、上記した実施例１（乃至６）で説明したように、（態様Ａ）乃至（態様Ｊ）のいずれかの光書込ヘッド位置決め機構、又は（態様Ｋ）のプロセスカートリッジと同様な効果を奏することができる画像形成装置を提供できる。
【０１０１】
（態様Ｍ）
（態様Ｌ）において、光書込ヘッド６１などの前記光書込ヘッドの発光素子がＬＥＤもしくは有機ＥＬ素子であることを特徴とするものである。
これによれば、上記した本実施形態で説明したように、露光装置６０などの露光装置をコンパクトに構成してプリンタ１００などの画像形成装置の小型化に貢献できるとともに、感光体３などの潜像担持体上に良好な静電潜像を形成することができる。
【符号の説明】
【０１０２】
２    プロセスカートリッジ
３    感光体
４    現像ローラ
５    クリーニングブレード
６    帯電ローラ
１１    給紙カセット
１２    給紙ローラ
１４    レジストローラ
１５    排紙ローラ対
２０    光書込ヘッド位置決め機構
２１（ａ，ｂ）  スペーサ部材
６０    露光装置
６１    光書込ヘッド
６２    レンズアレイ
６３    ヘッドフレーム
７０    転写ローラ
８０    定着装置
１００    プリンタ
１１０    装置本体
２１１（ａ，ｂ）  ヘッド接触面
２１２（ａ，ｂ）  第１感光体接触面
２１３（ａ，ｂ）  第２感光体接触面
Ｐ    用紙
【先行技術文献】
【特許文献】
【０１０３】
【特許文献１】特開２００７−０７６０３１号公報
【特許文献２】特許第４０７３２３４号公報
【図１】
2015044398.tif 000003
【図２】
2015044398.tif 000004
【図３】
2015044398.tif 000005
【図４】
2015044398.tif 000006
【図５】
2015044398.tif 000007
【図６】
2015044398.tif 000008
【図７】
2015044398.tif 000009
【図８】
2015044398.tif 000010
【図９】
2015044398.tif 000011
【図１０】
2015044398.tif 000012
【図１１】
2015044398.tif 000013
【図１２】
2015044398.tif 000014
【図１３】
2015044398.tif 000015